(57)【特許請求の範囲】
【請求項１】
長方形又は正方形又はひし形の前壁板を備える護岸ブロックを千鳥状に積んで構築する護岸構造物であって、
護岸ブロックは、前壁板の前面に装飾部を有さないフラットタイプと、前壁板の前面の左右方向の右側に上下に向かう装飾部を有するライトタイプと、前壁板の前面の左右方向の左側に上下に向かう装飾部を有するレフトタイプの３種類の護岸ブロックであり、
これら３種類の護岸ブロックにおいて、ライトタイプの護岸ブロックとレフトタイプの護岸ブロックを２段以上交互に積んだときに、ライトタイプの護岸ブロックの前記装飾部とレフトタイプの護岸ブロックの前記装飾部が上下に連続して装飾ラインを形成することを特徴とする護岸構造物。
【請求項２】
請求項１に記載された護岸構造物において、
ライトタイプの護岸ブロックは、装飾部を前壁板の前面の左右方向の右端部から左に前面の左右寸法の４分の１ずれた位置に有するとともに、レフトタイプの護岸ブロックは、装飾部を前壁板の前面の左右方向の左端部から右に前面の左右寸法の４分の１ずれた位置に有することを特徴とする護岸構造物。
【請求項３】
請求項１又は２に記載された護岸構造物において、
ライトタイプの護岸ブロックの装飾部及びレフトタイプの護岸ブロックの装飾部は、前壁板の前面から前方に突き出た凸状部又は前壁板の前面から窪んだ凹状部であることを特徴とする護岸構造物。
【請求項４】
請求項１又は２に記載された護岸構造物において、
ライトタイプの護岸ブロックの装飾部及びレフトタイプの護岸ブロックの装飾部は、前壁板の前面にショットブラスト加工を施して作成した微細凹凸部であることを特徴とする護岸構造物。
【請求項５】
請求項１又は２に記載された護岸構造物において、
ライトタイプの護岸ブロックの装飾部及びレフトタイプの護岸ブロックの装飾部は、前壁板の前面に樹脂塗料を塗装して作成した樹脂塗装部であることを特徴とする護岸構造物。
【発明の詳細な説明】
【技術分野】
【０００１】
本発明は、海岸や河岸などにおいて、護岸ブロックを千鳥状に積んで構築する護岸構造物に関する。
【背景技術】
【０００２】
海岸や河岸などにおいて、護岸構造物は、複数の護岸ブロックを用いて構築する。護岸ブロックは、例えば、長方形の前壁板と、前壁板の後面から後方に突出する２つの控え脚を備えたものである。護岸構造物は、海岸や河岸などにおいて、護岸ブロックを傾斜面に沿って千鳥状に積むことで、護岸構造物を構築している（特許文献１参照）。
【０００３】
従来、護岸構造物に用いる護岸ブロックにあっては、周囲の自然環境と調和して、景観が損なわれないようにすることを目的とした自然環境配慮型の護岸ブロックが提案されている。自然環境配慮型の護岸ブロックは、例えば、前壁板の前面に石垣模様を形成することで、周囲の自然環境と調和するようにしている（特許文献２参照）。
【０００４】
ところで、自然の多い郊外などで、従来の自然環境配慮型の護岸ブロックを用いて護岸構造物を構築したときは、周囲の自然環境と調和することで、景観が損なわれないようにすることができる。
しかしながら、自然が少ない大都市などの都市部で、従来の自然環境配慮型の護岸ブロックを用いて護岸構造物を構築したときは、都市部の景観と調和することができず、景観が損なわれるという問題がある。
【先行技術文献】
【特許文献】
【０００５】
【特許文献１】特開２０１７−００８６７２号公報
【特許文献２】特開２０１７−１０６２３３号公報
【発明の概要】
【発明が解決しようとする課題】
【０００６】
本発明は、このような問題に鑑みてなされたものであって、その目的は、自然が少ない大都市などの都市部において、護岸ブロックを用いて護岸構造物を構築したときに、周囲の環境と調和することのできる護岸構造物を提供することである。
【課題を解決するための手段】
【０００７】
本発明は、長方形又は正方形又はひし形の前壁板を備える護岸ブロックを千鳥状に積んで構築する護岸構造物であって、護岸ブロックは、前壁板の前面に装飾部を有さないフラットタイプと、前壁板の前面の左右方向の右側に上下に向かう装飾部を有するライトタイプと、前壁板の前面の左右方向の左側に上下に向かう装飾部を有するレフトタイプの３種類の護岸ブロックであり、これら３種類の護岸ブロックにおいて、ライトタイプの護岸ブロックとレフトタイプの護岸ブロックを２段以上交互に積んだときに、ライトタイプの護岸ブロックの前記装飾部とレフトタイプの護岸ブロックの前記装飾部が上下に連続して装飾ラインを形成する護岸構造物である。
【発明の効果】
【０００８】
本発明によれば、護岸構造物に上下に向かう装飾ラインを形成し、この装飾ラインを基調としたデザインにすることで、護岸構造物を都市部の景観と調和する洗礼されたデザインにすることができ、これにより、自然の少ない大都市などの都市部において護岸構造物を構築したときに、周囲の環境と調和することができ、都市部の景観が損なわれないようにすることができる。
【図面の簡単な説明】
【０００９】
【図１】護岸ブロックを積んで構築した護岸構造物の正面図である。
【図２】護岸ブロックを積んで構築した護岸構造物の側断面図である。
【図３】別の護岸ブロックを積んで構築した護岸構造物の正面図である。
【図４】図４Ａは、護岸構造物におけるフラットタイプの護岸ブロックの平面図、図４Ｂは、図４Ａの矢印Ｙ方向からみたフラットタイプの護岸ブロックの側面図、図４Ｃは、図４Ａの矢印Ｘ方向からみたフラットタイプの護岸ブロックの側面図である。
【図５】図５Ａは、護岸構造物におけるライトタイプの護岸ブロックの平面図、図５Ｂは、図５Ａの矢印Ｙ方向からみたライトタイプの護岸ブロックの側面図、図５Ｃは、図５Ａの矢印Ｘ方向からみたライトタイプの護岸ブロックの側面図である。
【図６】図６Ａは、護岸構造物におけるレフトタイプの護岸ブロックの平面図、図６Ｂは、図６Ａの矢印Ｙ方向からみたレフトタイプの護岸ブロックの側面図、図６Ｃは、図６Ａの矢印Ｘ方向からみたレフトタイプの護岸ブロックの側面図である。
【図７】護岸構造物の正面図である。
【図８】別の護岸構造物の正面図である。
【図９】別の護岸構造物の正面図である。
【図１０】別の護岸構造物の正面図である。
【図１１】図１１Ａは、別のライトタイプの護岸ブロックの平面図、図１１Ｂは、図１１Ａの矢印Ｙ方向からみたライトタイプの護岸ブロックの側面図である。
【図１２】図１２Ａは、別のレフトタイプの護岸ブロックの平面図、図１２Ｂは、図１２Ａの矢印Ｙ方向からみたレフトタイプの護岸ブロックの側面図である。
【図１３】図１３Ａは、別のライトタイプの護岸ブロックの平面図、図１３Ｂは、図１３Ａの矢印Ｙ方向からみたライトタイプの護岸ブロックの側面図である。
【図１４】図１４Ａは、別のレフトタイプの護岸ブロックの平面図、図１４Ｂは、図１４Ａの矢印Ｙ方向からみたレフトタイプの護岸ブロックの側面図である。
【図１５】図１５Ａは、別のライトタイプの護岸ブロックの平面図、図１５Ｂは、図１５Ａの矢印Ｙ方向からみたライトタイプの護岸ブロックの側面図である。
【図１６】図１６Ａは、別のレフトタイプの護岸ブロックの平面図、図１６Ｂは、図１６Ａの矢印Ｙ方向からみたレフトタイプの護岸ブロックの側面図である。
【発明を実施するための形態】
【００１０】
本発明の護岸構造物の一実施形態について、図面を参照して説明する。
図１は、護岸ブロックを積んで構築した護岸構造物の正面図、図２は、護岸ブロックを積んで構築した護岸構造物の側断面図、図３は、別の護岸ブロックを積んで構築した護岸構造物の正面図である。
本実施形態に係る護岸構造物１は、図１、図２に示すように、海岸や河岸などに沿って左右に向かう基礎コンクリート２の上に護岸ブロック３を傾斜面に沿って千鳥状に積んで構築するものである。
【００１１】
護岸ブロック３は、例えば、左右方向に長い長方形の前壁板４と、前壁板４の後面から後方に突出する２つの控え脚５を備える。控え脚５には、その上面に嵌合用凸部６を、下面に嵌合用凹部７をそれぞれ設け、これにより、護岸ブロック３を積んだ際に、下側の護岸ブロック３の控え脚５の嵌合用凸部６と上側の護岸ブロック３の控え脚５の嵌合用凹部７とが嵌合する。
【００１２】
ただし、護岸ブロック３については、これに限らない。護岸ブロック３は、例えば、前壁板４と、前壁板４の後方に配置する後壁板と、前壁板４と後壁板を連結する１つ又は２つの連結板を備えるものでもよく、その他のものでもよい。護岸ブロック３の前壁板４の形状は、左右方向に長い長方形に限らず、上下方向に長い長方形又は正方形でもよい。また、護岸ブロック３の前壁板４の形状は、図３に示すように、ひし形でもよい。なお、前壁板４の形状は、これらに限らず、他の形状でもよい。
【００１３】
ここで、本明細書の説明中において使用する用語、「左右方向」及び「上下方向」について説明する。
左右方向とは、海岸や河岸などに沿って横に延びる方向、つまり海岸線あるいは河川の水の流れる方向であって、図１において、図面中に矢印Ａで示す方向である。
上下方向とは、傾斜面に沿った方向であって、図１において、図面中に矢印Ｂで示す方向である。
【００１４】
護岸ブロック３は、タイプの異なる複数の護岸ブロック３であり、つまり、フラットタイプの護岸ブロック３Ｆと、ライトタイプの護岸ブロック３Ｒと、レフトタイプの護岸ブロック３Ｌの３種類である。３種類の護岸ブロック３は、左右方向に長い長方形の前壁板４と、前壁板４の後面から後方に突出する２つの控え脚５を備える点では同じであるが、それぞれ異なる前壁板４の前面を備える。
なお、前壁板４の大きさは、３種類の護岸ブロック３すべて同じで、左右寸法が約１０００ｍｍ、上下寸法が約５００ｍｍである。ただし、寸法は、これに限らない。
【００１５】
図４Ａは、護岸構造物におけるフラットタイプの護岸ブロック３Ｆの平面図、図４Ｂは、図４Ａの矢印Ｙ方向からみたフラットタイプの護岸ブロック３Ｆの側面図、図４Ｃは、図４Ａの矢印Ｘ方向からみたフラットタイプの護岸ブロック３Ｆの側面図である。図５Ａは、護岸構造物におけるライトタイプの護岸ブロック３Ｒの平面図、図５Ｂは、図５Ａの矢印Ｙ方向からみたライトタイプの護岸ブロック３Ｒの側面図、図５Ｃは、図５Ａの矢印Ｘ方向からみたライトタイプの護岸ブロック３Ｒの側面図である。図６Ａは、護岸構造物におけるレフトタイプの護岸ブロック３Ｌの平面図、図６Ｂは、図６Ａの矢印Ｙ方向からみたレフトタイプの護岸ブロック３Ｌの側面図、図６Ｃは、図６Ａの矢印Ｘ方向からみたレフトタイプの護岸ブロック３Ｌの側面図である。
【００１６】
フラットタイプの護岸ブロック３Ｆは、図４Ａ、図４Ｂ、図４Ｃに示すように、平面視が左右方向に長い長方形の前壁板４と、前壁板４の後面から後方に突出する２つの控え脚５を備えるが、前壁板４の前面には、装飾部８を有さない、つまり、前面を平坦な面にしている。
【００１７】
ライトタイプの護岸ブロック３Ｒは、図５Ａ、図５Ｂ、図５Ｃに示すように、平面視が左右方向に長い長方形の前壁板４と、前壁板４の後面から後方に突出する２つの控え脚５を備える点ではフラットタイプの護岸ブロック３Ｆと同じであるが、前壁板４の前面には、その前面の左右方向の右側、例えば右端部から左に前面の左右寸法の４分の１ずれた位置Ｐ１に上下に向かう帯状の装飾部８を有している、つまり、この実施形態では、前面の右端部から左に約２５０ｍｍずれた位置に装飾部８を有している。
【００１８】
レフトタイプの護岸ブロック３Ｌは、図６Ａ、図６Ｂ、図６Ｃに示すように、平面視が左右方向に長い長方形の前壁板４と、前壁板４の後面から後方に突出する２つの控え脚５を備える点ではフラットタイプ又はライトタイプの護岸ブロック３Ｆ、３Ｒと同じであるが、前壁板４の前面には、その前面の左右方向の左側、例えば左端部から右に前面の左右寸法の４分の１ずれた位置Ｐ２に上下に向かう帯状の装飾部８を有している、つまり、本実施形態では、前面の左端部から右に約２５０ｍｍずれた位置に装飾部８を有している。
【００１９】
ライトタイプの護岸ブロック３Ｒの装飾部８とレフトタイプの護岸ブロック３Ｌの装飾部８は、ともに前壁板４の前面から前方に突き出た凸状部である。その形状および大きさも同じであり、本実施形態では、例えば、前壁板４の前面から約１００ｍｍ突き出て、その突き出た先端が平坦面になり、平坦面の幅（図５Ａ、図６Ａ中にＷで示す）は約１００ｍｍである。ただし、寸法は、これに限らない。
【００２０】
次に、３種類の護岸ブロック３を積んで構築する護岸構造物１について説明する。
護岸構造物１は、フラットタイプの護岸ブロック３Ｆとライトタイプの護岸ブロック３Ｒとレフトタイプの護岸ブロック３Ｌの３種類の護岸ブロック３を、傾斜面に沿って千鳥状に積んで構築する。護岸構造物１では、ライトタイプの護岸ブロック３Ｒとレフトタイプの護岸ブロック３Ｌを２段以上交互に積んだときに、ライトタイプの護岸ブロック３Ｒの装飾部８とレフトタイプの護岸ブロック３Ｌの装飾部８が上下に連続することで、上下に向かう装飾ライン１０を形成する。
【００２１】
図７は、護岸構造物１の正面図である。
即ち、護岸構造物１を構築する際に、図示のように、ライトタイプの護岸ブロック３Ｒとレフトタイプの護岸ブロック３Ｌを、最下段から上に向かって３段、４段、５段、６段、７段、８段というように複数段交互に積むことで、最下段から上に向かう長さの異なる複数の装飾ライン１０をそれぞれ形成する。この複数の装飾ライン１０は、護岸構造物１の任意の位置に形成する。
ここでは、ライトタイプの護岸ブロック３Ｒとレフトタイプの護岸ブロック３Ｌを３段以上積んでいるが、これに限らず、２段以上であればよい。
【００２２】
以上のように、護岸構造物１において、ライトタイプの護岸ブロック３Ｒとレフトタイプの護岸ブロック３Ｌを、３段から８段交互に積んで、上下の長さの異なる複数の装飾ライン１０をそれぞれ形成し、この装飾ライン１０を基調としたデザインにすることで、護岸構造物１を都市部の景観と調和する洗礼されたデザインにすることができる。
また、護岸構造物１に形成する上下に向かう装飾ライン１０は、護岸ブロック３の前壁板４の前面から前方に突き出た凸状部であることから、この凸状部に太陽光などが当たると、ここに陰影ができ、その陰影が、朝、昼、夕方と時間の経過とともに変化することで、護岸構造物１において異なる印象を作り出すこともできる。
【００２３】
また、護岸構造物１を構築する際のライトタイプの護岸ブロック３Ｒとレフトタイプの護岸ブロック３Ｌの積み方については、前述のものに限らず、その他のものでもよい。
図８は、別の護岸構造物１の正面図である。図９は、別の護岸構造物１の正面図である。図１０は、別の護岸構造物１の正面図である。
【００２４】
例えば、護岸構造物１を構築する際に、図８に示すように、ライトタイプの護岸ブロック３Ｒとレフトタイプの護岸ブロック３Ｌを、最上段から下に向かって３段、４段、５段、６段、７段、８段というように複数段交互に積むことで、最上段から下に向かう長さの異なる複数の装飾ライン１０をそれぞれ形成するようにしてもよい。このときも、複数の装飾ライン１０は、護岸構造物１の任意の位置に形成する。
【００２５】
また、護岸構造物１を構築する際に、図９に示すように、ライトタイプの護岸ブロック３Ｒとレフトタイプの護岸ブロック３Ｌを、最下段から上にあるいは最上段から下に向かって複数段交互に積むだけでなく、その中間の段から複数段交互に積むことで、上下の長さが異なる複数の装飾ライン１０をそれぞれ形成するようにしてもよい。このときも、複数の装飾ライン１０は、護岸構造物１の任意の位置に形成する。
【００２６】
また、護岸構造物１を構築する際に、図１０に示すように、ライトタイプの護岸ブロック３Ｒとレフトタイプの護岸ブロック３Ｌを、最下段から最上段に向かって交互に積むことで、上下の長さが同じになる複数の装飾ライン１０をそれぞれ形成するようにしてもよい。このときも、複数の装飾ライン１０は、護岸構造物１の任意の位置に形成する。
【００２７】
なお、護岸構造物１を構築する際のライトタイプの護岸ブロック３Ｒとレフトタイプの護岸ブロック３Ｌの積み方は、前述のものに限らず、任意であり、種々のパターンで積むことが可能である。これにより、それぞれの現場に応じて、最適な装飾ライン１０を備えた護岸構造物１を構築することができる。
【００２８】
以上説明したように、護岸構造物１に複数の上下に向かう装飾ライン１０を形成し、この装飾ライン１０を基調としたデザインにすることで、護岸構造物１を都市部の景観と調和する洗礼されたデザインにすることができる。これにより、自然の少ない大都市などの都市部において護岸構造物１を構築したときに、海岸や河岸などを防護する機能に加え、周囲の環境と調和することができ、都市部の景観が損なわれないようにすることができる。
【００２９】
また、護岸構造物１を構築するときに、上下に向かう装飾ライン１０が真っ直ぐかどうかを見るだけで、積み上げた護岸ブロック３の左右へのずれを簡単に確認することができ、これにより、護岸ブロック３を正確に積み上げることができる。
また、護岸構造物１構築後においても、地震発生時や台風発生時に護岸構造物１に大きな力が作用し、積み上げた護岸ブロック３がずれても、上下に向かう装飾ライン１０が真っ直ぐかどうかを見ることで、一見わかりにくい護岸ブロック３のずれであっても、ずれの有無を簡単に確認することができる。これにより、護岸構造物１の補修を速やかに行うことができ、護岸構造物１を長期間にわたって良好に維持することができる。
【００３０】
次に、護岸構造物１において、ライトタイプの護岸ブロック３Ｒの装飾部８及びレフトタイプの護岸ブロック３Ｌの装飾部８の別の例について説明する。
図１１Ａは、別のライトタイプの護岸ブロック３Ｒの平面図、図１１Ｂは、図１１Ａの矢印Ｙ方向からみたライトタイプの護岸ブロック３Ｒの側面図、図１２Ａは、別のレフトタイプの護岸ブロック３Ｌの平面図、図１２Ｂは、図１２Ａの矢印Ｙ方向からみたレフトタイプの護岸ブロック３Ｌの側面図である。
また、図１３Ａは、別のライトタイプの護岸ブロック３Ｒの平面図、図１３Ｂは、図１３Ａの矢印Ｙ方向からみたライトタイプの護岸ブロック３Ｒの側面図、図１４Ａは、別のレフトタイプの護岸ブロック３Ｌの平面図、図１４Ｂは、図１４Ａの矢印Ｙ方向からみたレフトタイプの護岸ブロック３Ｌの側面図である。
また、図１５Ａは、別のライトタイプの護岸ブロック３Ｒの平面図、図１５Ｂは、図１５Ａの矢印Ｙ方向からみたライトタイプの護岸ブロック３Ｒの側面図、図１６Ａは、別のレフトタイプの護岸ブロック３Ｌの平面図、図１６Ｂは、図１６Ａの矢印Ｙ方向からみたレフトタイプの護岸ブロック３Ｌの側面図である。
【００３１】
ライトタイプの護岸ブロック３Ｒの装飾部８及びレフトタイプの護岸ブロック３Ｌの装飾部８は、図１１Ａ、図１１Ｂ、図１２Ａ、図１２Ｂに示すように、前壁板４の前面から窪んだ凹状部であり、護岸ブロック３の上下に向かって帯状に設けている。なお、装飾部８（凹状部）は、前壁板４の前面から窪んで、その窪んだ底の部分が平坦面になり、平坦面の幅（図１１Ａ、図１２Ａ中にＷで示す）は、この実施形態においては、例えば１００ｍｍである。
【００３２】
このライトタイプの護岸ブロック３Ｒ及びレフトタイプの護岸ブロック３Ｌを用いて護岸構造物１を構築したとき、上下に位置する装飾部８により上下に向かう装飾ライン１０が形成される。つまり、護岸構造物１において、上下に向かう装飾ライン１０が形成されることで、護岸構造物１をデザイン的に洗礼されたものにすることができる。これとともに、装飾ライン１０を、護岸ブロック３の前壁板４の前面から窪んだ凹状部にすることで、この凹状部に太陽光などが当たると、ここに陰影ができ、その陰影が、朝、昼、夕方と時間の経過とともに変化して、護岸構造物１において異なる印象を作り出すことができる。
【００３３】
また、別のライトタイプの護岸ブロック３Ｒの装飾部８及びレフトタイプの護岸ブロック３Ｌの装飾部８は、図１３Ａ、図１３Ｂ、図１４Ａ、図１４Ｂに示すように、前壁板４の前面にショットブラスト加工を施して作成した微細凹凸部であり、護岸ブロック３の上下に向かって帯状に設けている。なお、装飾部８（微細凹凸部）の幅（図１３Ａ、図１４Ａ中にＷで示す）は、この実施形態においては、例えば１００ｍｍである。
【００３４】
このライトタイプの護岸ブロック３Ｒ及びレフトタイプの護岸ブロック３Ｌを用いて護岸構造物１を構築したとき、上下に位置する装飾部８により上下に向かう装飾ライン１０が形成される。これにより、護岸構造物１において、装飾ライン１０とその他の場所とで明度の違いが表れ、この明度の違いにより、護岸構造物１をデザイン的に洗礼されたものにすることができる。
【００３５】
また、別のライトタイプの護岸ブロック３Ｒの装飾部８及びレフトタイプの護岸ブロック３Ｌの装飾部８は、図１５Ａ、図１５Ｂ、図１６Ａ、図１６Ｂに示すように、前壁板４の前面に樹脂塗料を塗装して作成した樹脂塗装部であり、護岸ブロック３の上下に向かって帯状に設けている。なお、この実施形態においては、装飾部８（樹脂塗装部）の幅（図１５Ａ、図１６Ａ中にＷで示す）は、例えば１００ｍｍである。
【００３６】
このライトタイプの護岸ブロック３Ｒ及びレフトタイプの護岸ブロック３Ｌを用いて護岸構造物１を構築したとき、上下に位置する装飾部８により上下に向かう装飾ライン１０が形成される。これにより、護岸構造物１において、装飾ライン１０とその他の場所とで色相の違いが表れ、この色相の違いにより、護岸構造物１をデザイン的に洗礼されたものにすることができる。
【００３７】
なお、以上の説明では、ライトタイプの護岸ブロック３Ｒ及びレフトタイプの護岸ブロック３Ｌにおいて、前壁板４の前面の左右端部から反対側端部に向かってそれぞれ前面の左右寸法の４分の１ずれた位置に上下に向かう帯状の装飾部８を有しているものとして説明したが、必ずしもこれに限定されない。ライトタイプの護岸ブロック３Ｒの装飾部８及びレフトタイプの護岸ブロック３Ｌの装飾部８は、各護岸プレートを千鳥状に積み上げたときに、装飾部８が上下に連続するようにそれぞれの配置位置を決めればよい。
【符号の説明】
【００３８】
１…護岸構造物、２…基礎コンクリート、３…護岸ブロック、３Ｆ…フラットタイプの護岸ブロック、３Ｒ…ライトタイプの護岸ブロック、３Ｌ…レフトタイプの護岸ブロック、４…前壁板、５…控え脚、６…嵌合用凸部、７…嵌合用凹部、８…装飾部、１０…装飾ライン。
【要約】
【課題】都市部において護岸構造物を構築したときに、周囲の環境と調和できるようにする。
【解決手段】護岸構造物１は、前壁板４を備える護岸ブロック３を千鳥状に積んで構築する。護岸ブロック３は、前壁板４の前面に装飾部８を有さないフラットタイプと、前壁板４の前面の左右方向の右側に上下に向かう装飾部８を有するライトタイプと、前壁板４の前面の左右方向の左側に上下に向かう装飾部８を有するレフトタイプの３種類の護岸ブロック３であり、３種類の護岸ブロック３において、ライトタイプの護岸ブロック３Ｒとレフトタイプの護岸ブロック３Ｌを２段以上交互に積んだときに、ライトタイプの護岸ブロック３Ｒの装飾部８とレフトタイプの護岸ブロック３Ｌの装飾部８が上下に連続して装飾ライン１０を形成する護岸構造物１である。
【選択図】図７【図１】
0006841524.tif 000002
【図２】
0006841524.tif 000003
【図３】
0006841524.tif 000004
【図４】
0006841524.tif 000005
【図５】
0006841524.tif 000006
【図６】
0006841524.tif 000007
【図７】
0006841524.tif 000008
【図８】
0006841524.tif 000009
【図９】
0006841524.tif 000010
【図１０】
0006841524.tif 000011
【図１１】
0006841524.tif 000012
【図１２】
0006841524.tif 000013
【図１３】
0006841524.tif 000014
【図１４】
0006841524.tif 000015
【図１５】
0006841524.tif 000016
【図１６】
0006841524.tif 000017